(57)【要約】【課題】  容易に実行可能なＰＤ構成を用いて、高いスループットレートをもたらす方法を提供すること。【解決手段】  複数のアパーチャを有するパターン決定手段を用いて荷電粒子のビームをターゲット（４０）にマスクレスで照射し、所定の軸に対して横に、上記パターン決定手段に対して相対移動している（ｖ）ターゲット上に、上記パターン決定手段における上記アパーチャのイメージを形成する方法において、上記イメージの位置を、上記ターゲットの相対移動の距離が上記ターゲットにおいて測定される上記イメージの幅（ｗ）の倍数以上である画素露光期間の間、上記ターゲットに沿って移動させるようにし、上記画素露光期間の後に、上記ビームのイメージの位置を変化させるようにし、この位置の変化は上記ビームのイメージの上記位置の移動をほぼ補うものである。【選択図】  図２
2008252095.tif 000002
【特許請求の範囲】
【請求項１】
荷電粒子のビームをターゲットに照射する方法であって、
上記粒子を通過させる複数のアパーチャを有するパターン決定手段（１０２）を用意し、
上記アパーチャを通って上記パターン決定手段を横切る上記ビームを上記パターン決定手段に照射することにより、上記アパーチャと同数のビームレットからなるパターン化ビーム（ｐｂ）を形成し、
上記パターン化ビームによって、上記ターゲット（１４、４０）上の位置において、第１の幅（ｗ）を有するとともに、上記複数のアパーチャの少なくとも一部のアパーチャイメージを備えるビームイメージを形成し、
上記アパーチャイメージが形成されるイメージ面において、上記パターン決定手段に対して上記ターゲットを経路に沿って相対移動させる、各工程を含む方法であって、
画素露光期間（Ｔｕ）において、上記ターゲットとともに上記ビームイメージの上記位置を移動させるようにし、上記画素露光期間は、上記ターゲットにおいて測定される上記第１の幅より大きい進行距離を、上記ターゲットが上記相対移動しているときの時間を有し、
上記画素露光期間の後に、上記ターゲットに対して上記ビームイメージの上記位置を変化させるようにし、この位置の変化は、上記パターン決定手段の位置に対する、上記画素露光期間（Ｔｕ）の間における上記ビームイメージの上記位置の移動をほぼ補うものである方法。
【請求項２】
上記進行距離は、上記第１の幅の倍数以上である、請求項１に記載の方法。
【請求項３】
上記進行距離は、上記相対移動の方向における隣接するビームレット間の距離以下である、請求項１または２に記載の方法。
【請求項４】
上記相対移動の方向において同一線上にある上記ビームレットは、少なくとも１以上の上記ビームレットからなるグループを構成しており、２以上の上記ビームレットからなるそれぞれのグループにおいて、上記ビームレットは、上記ターゲット上においてそれぞれ上記進行距離の整数倍離間しており、上記グループの数に上記第１の幅を掛けたものが上記進行距離以上であるように、上記グループの数が決定されている、請求項１ないし３のいずれか一つに記載の方法。
【請求項５】
複数の画素露光期間を含む時間において、上記ターゲットの上記相対移動は連続的な直線状の移動である、請求項１ないし４のいずれか一つに記載の方法。
【請求項６】
上記画素露光期間以外においては、上記パターン化ビームが上記ターゲットに到達する前に、吸収手段によって吸収されて上記パターン化ビームが消える、請求項１ないし５のいずれか一つに記載の方法。
【請求項７】
上記画素露光期間の開始時から連続する次の上記画素露光期間の開始時までの間における、上記ターゲットの上記相対移動の距離は、上記第１の幅の整数倍である第２の幅と等しい、請求項１ないし６のいずれか一つに記載の方法。
【請求項８】
同一線上に存在する２本の上記ビームレット間における上記ターゲットの上記相対移動の方向に沿って測定された距離は、上記第１の幅の整数倍数（Ｎ’ｗ）であり、
上記ターゲットの上記相対移動の方向に沿って測定された距離において、上記第１の幅を整数倍した整数のうち少なくともいずれかは、上記第２の幅において上記第１の幅を整数した整数と互いに素である、請求項７に記載の方法。
【請求項９】
上記第１の幅の整数倍数が、１単位だけ異なっている、請求項８に記載の方法。
【請求項１０】
上記パターン化ビームの伝播方向にほぼ垂直である方向に沿って、上記ターゲットを上記パターン決定手段に相対的に移動させる、請求項１ないし９のいずれか一つに記載の方法。
【請求項１１】
上記パターン決定手段（１０２）は、複数の静電ビームレット偏向器（２２１）を備えており、これら各偏向器は、上記パターン決定手段の個々のアパーチャと関連づけられるとともに、それぞれの制御信号（８４）によって制御され、これらの制御信号によって起動させられたとき、上記アパーチャを横切る上記ビームレットを通常の経路から十分な量だけそらすように構成されており、上記パターン決定手段の上記アパーチャは、複数の上記制御信号により、時間に依存して上記ターゲット上に形成されるパターンに応じて制御される、請求項１ないし１０のいずれか一つに記載の方法。
【請求項１２】
上記アパーチャを分離グループにグループ化している場合、それぞれの上記分離グループ（ＨＣ１）の上記アパーチャについての上記制御信号（８４）が、時間的に重ならないように、共通の制御ラインを通って用いられる、請求項１１に記載の方法。
【請求項１３】
それぞれの上記分離グループの上記アパーチャは、上記ターゲットの上記相対運動方向と交差する方向に沿って、上記パターン決定手段に配置されている、請求項１２に記載の方法。
【請求項１４】
それぞれの上記分離グループの上記アパーチャは、上記ターゲットの上記相対移動方向と交差する方向から測定した場合、上記パターン決定手段における上記アパーチャに覆われた領域の幅の２分の１を超えて延びており、上記制御信号は、反対の２つの方向から上記アパーチャの上記領域に入力される、請求項１３に記載の方法。
【請求項１５】
上記制御信号を処理するためのデータが、上記パターン決定手段のデータ記憶手段（６７）に入力されて記憶され、上記データが、個別に読み出されてそれに応じて上記制御信号が処理される、請求項１１ないし１４にのいずれか一つ記載の方法。
【請求項１６】
２つのポートを有するデータ記憶手段を備えており、それぞれの上記画素露光期間において、上記データ記憶手段の第１のポートを通して、上記アパーチャを制御するデータが上記制御信号の処理のために読み出され、
上記データ記憶手段の第２のポートを通して、連続する上記画素露光期間に関するデータが記憶される、請求項１５に記載の方法。
【請求項１７】
上記パターン決定手段の上記アパーチャは、相補的アパーチャのグループにグループ化されており、それぞれのグループについて、上記グループの上記アパーチャと関連する上記制御信号が、共通信号（８７１）から発生しており、上記共通信号は、上記制御信号に順次コピーされるものである、請求項１５または１６に記載の方法。
【請求項１８】
上記共通信号は、それぞれのアパーチャ間の上記ターゲットの相対移動方向に沿う空間的なオフセットに対応する時間だけずれて、上記制御信号にコピーされる、請求項１７に記載の方法。
【請求項１９】
グループの上記共通信号は、このグループに属する上記アパーチャにより実現されるグレイレベルの情報を含み、このグレイレベルを、一連の非作動制御信号と作動制御信号に変換し、上記グレイレベルは、上記グループにおける制御信号の全体数に対する非作動の信号の数を決定するものである、請求項１７または１８に記載の方法。
【請求項２０】
上記グレイレベルの上記変換は、上記記録手段から上記データを出力した後になされる、請求項１９に記載の方法。
【請求項２１】
上記グレイレベルの一連の制御信号への変換は、等間隔シーケンスへの変換、準ランダムシーケンスへの返還、リニアフィードバックシフトレジスタを用いた変換、個々の制御信号について異なるオフセットを用いた変換、又はこれらの組合せによる変換の少なくとも１つを利用した方法により行う、請求項１９または２０に記載の方法。
【請求項２２】
上記アパーチャは、少なくとも２つの平行な列に配列されており、上記平行な列は、それぞれ上記ビームに沿って所定距離だけ相互に離間しており、上記平行な列に配列された上記アパーチャは、並行して作動させられる、請求項１１ないし２１のいずれか一つに記載の方法。
【請求項２３】
荷電粒子のビームを用いてターゲットを照射する方法であって、
上記粒子が通過可能な複数のアパーチャを備えたパターン決定手段（１０２）を用意し、
上記アパーチャを通って上記パターン決定手段を横切る上記ビームを上記パターン決定手段に照射することにより、上記アパーチャと同数のビームレットからなるパターン化ビーム（ｐｂ）を形成し、
上記パターン化ビームによって、上記ターゲット（１４、４０）上の位置において、第１の幅（ｗ）を有するとともに上記複数のアパーチャの少なくとも一部のアパーチャイメージを備えるビームイメージを形成し、
上記ビームのうちの少なくとも一部を上記ターゲット上に設けられたマーカ（４１、４２）に衝突させることにより、上記ターゲットに第２の照射をさせ、
上記アパーチャイメージが形成されるイメージ面において、上記パターン決定手段に対して上記ターゲットを経路に沿って相対移動させ、
適当なハイサンプリングレートを用いた検出システムにより上記第２の照射を測定し、
測定された上記第２の照射が最大値または最小値といった極値を得るとき、上記ターゲットの位置を調整する方法。
【請求項２４】
連続する露光工程の間に、上記基板面が、上記ターゲットを移動させるスピードと同じスピードで上記ターゲットを移動させる、請求項２３に記載の方法。
【請求項２５】
上記マーカは、複数の層構造の一部である構成を備えており、
この構成は、上述のプロセスのうちの少なくとも一つにおいて上記ターゲット上に形成された、請求項２３または２４に記載の方法。
【請求項２６】
上記マーカは、特徴的なオージェ電子放射を含む第２の放射をするのに適応している構成要素を備えており、
上記検出システムは、上記オージェ電子放射を検出することに適したエネルギー選択検出器を用いている、請求項２３ないし２５のいずれかに記載の方法。
【請求項２７】
上記マーカは、後方拡散特性収率を有する構成要素を備えている、請求項２３ないし２６のいずれかに記載の方法。
【請求項２８】
上記ターゲット上において実行される連続した粒子ビーム露光工程を備えており、
これらの粒子ビーム露光工程においては、同一の上記パターン決定手段を用いており、また、上記ターゲットを同じように上記パターン決定手段について相対移動させている、請求項２３ないし２７のいずれかに記載の方法。
【請求項２９】
上記進行距離は、一連の露光工程における特徴的な画素露光期間において上記ターゲットが相対移動する距離の倍数である、請求項２３ないし２８のいずれかに記載の方法。
【発明の詳細な説明】
【技術分野】
【０００１】
本発明は、荷電粒子のビームをターゲットに照射する方法に関する。特に、上記粒子を通過させる複数のアパーチャを有するパターン決定手段を用いて、上記アパーチャを通って上記パターン決定手段を横切る上記ビームを上記パターン決定手段に照射することにより、上記アパーチャと同数のビームレットからなるパターン化ビームを形成し、上記パターン化ビームによって、上記ターゲット上の位置において、第１の幅を有するとともに、上記複数のアパーチャの少なくとも一部のアパーチャイメージを備えるビームイメージを形成し、上記アパーチャイメージが形成されるイメージ面において、上記パターン決定手段に対して上記ターゲットを経路に沿って（または上記パターン化ビームの伝播方向とほぼ垂直である方向に）相対移動させる方法に関する。
【背景技術】
【０００２】
これに関連のある粒子ビーム装置に関する方法は、米国特許６７６８１２５号に開示されている。この米国特許には、ＰＭＬ２（Ｐｒｏｊｅｃｔｉｏｎ  Ｍａｓｋ−ｌｅｓｓ  Ｌｉｔｈｏｇｒａｐｈｙ２の意味である）と呼ばれている荷電粒子リソグラフィー、これを用いた方法および装置が記載されている。ＰＭＬ２は、マルチビーム直接書込方式を実行する事が可能であり、荷電粒子源からの粒子ビームのパターンを決定するパターン決定手段（ＰＤ）としてＡＰＳ（Ｐｒｏｇｒａｍｍａｂｌｅ  ａｐｅｒｔｕｒｅ  ｐｌａｔｅ  ｓｙｓｔｅｍ）を用いている。
【０００３】
粒子リソグラフィーやそのプロセスは、半導体製品や微小構造製品を製造する際に用いられる。特に、イオンビームを照射し直接パターンニングすることは、高い解析能力を有するナノスケール装置（特に３２ｎｍ、２２ｎｍノードやそれ以下のもの）がもたらす将来の産業の発達に貢献する。上記ＰＤ装置はプログラム可能なマルチアパーチャであるものが好ましい。プログラム可能なマルチアパーチャ基板を用いたマルチビーム照射光学系を用いることにより、シングルビームシステムだけを用いた場合と比較して、生産性を大いに向上させることが可能となる。（本明細書において「光学」とは「粒子の光学」を指すものとする。）生産性向上の理由は、第一に、複数のビームを用いる工程を並行して実行することが可能となったこと、第二に、同一の方法において基板に対する流量が増加したことである。これらは上記ビーム中のクーロン相互作用をかなり減少させることで可能となった。さらに、上記照射光学系に関して適当な電流密度にすることにより、ビームを発生させるための化学的工程に物質ガスが使われる際における、生産効率が向上した。シングルビームシステムを用いた場合と比較して、ビーム強度を大きくするため減少した加熱効果を、減退させ回避できるようになった。
【０００４】
米国特許６７６８１２５号や関連する先行文献において開示されたＰＭＬ２の配置では、ターゲット上におけるパターン化ビームは、上記ターゲット上における１つの画素が光学系の下で移動する間だけ、その画素上に固定されている。そして、上記パターン化ビームは、上述した画素に隣接する次の画素の位置にジャンプする。この方法において、個々のビームレットは、上記ターゲット上の隣接画素をカバーする。この方法は、プロセススピードの上限を決定するパターン情報の高速なロードレートを必要とする。
【０００５】
図１９は、レジストに覆われた半導体ウェハなどのターゲット上において露光される画素のある列の例示として、先行文献にかかる書込み方法について記載している。この列における画素は、複数のビームレット（Ａ、Ｂ、Ｃ・・・により示されている）により照射（露光）される。個々のビームレットは、一連の時間ステップにおいて、隣接する画素の列を照射する。個々の画素に与えられる露光ドーズの量は、ハッチやクロスハッチされた領域により象徴化して示されている。クロスハッチがされた領域は、完全に露光された領域を示している。（これはプログラムされたパターンに従って行われる；連続的な露光がそれぞれの頂部に積み重なるように象徴化して記載されている。だが、実際には、露光の量はただ増加していくだけである。）一方、一方向のみにハッチがされた領域は、露光されている途中の画素を示している。上記レジストが、上記複数のビームレットを形成する上記ＰＤ装置の下で移動している間に、それぞれの画素に対するドーズは連続的に増加する（図１に関連して、後に述べるマスクレスマルチビーム書込み方法の記載を参照）。上記基板に対する部分的な露光ドーズをし、最終的に同一量のドーズをするため、隣接する個々のビームレットは、同一の距離で離間している。また、所定の列における個々のビームレットは、その列における個々の画素を露光するために用いられる。この露光方法に関する上記ＰＤ装置のアパーチャを上記ビームレットが通過する状態と、このアパーチャを上記ビームレットが通過しない状態とを切り替えるために、上記ＰＤ装置は対応するデータレートのパターン情報を要求し、所定のイメージ情報が上記ＡＰＳにおける個々のアパーチャに送られる。
【０００６】
図１９の上から１つ目と２つ目の図は、（ビームレットあたり）ある１つの画素を露光する工程の一周期における開始時点と最終時点の状態を記載しており、それぞれｔ＝０：０およびｔ＝０：１として示されている。図１９によれば、上記ビームレットが上記ターゲットに沿って移動させられており、これらのビームレットの位置が、所定の画素露光工程の間、（移動している）上記画素の位置上に固定されていることが、明らかである。ｔ＝０：１の後に画素の露光を終えたとき、全てのビームレットは、それぞれ、隣接する画素の位置上に固定されるべく、再配置させられる；図１９における上から３つ目の図ｔ＝１：０に、次の画素露光工程の開始時点の状態を示している。上記ビームレットの再配置は、ある画素露光工程の開始時から連続する次の画素露光工程の開始時までの時間Ｔｗと比較してはるかに小さい、かなり短い時間で行われる。（Ｔｗは、図１９におけるｔ＝０：０からｔ＝１：０までの間に経過する時間に等しい。）上記ビームレット間の共通の距離は、いずれも５ｗ、すなわち、上記ビームレット幅の５倍である；しかしながら、上記先行文献にかかる方法では、上記ビームレット間の距離は、米国特許６７６８１２５号で述べられているように、５以外の整数倍であっても、同様に非常に好ましいものとされている。
【０００７】
図２０は、図１９における先行文献にかかる書き込み方法のタイミング図を示している。最上図には、上記ビームの偏向ｘが時間ｔの関数として示されている；上記ビームの偏向は、定常的に鋸歯のような関数を示す。各ビームレットが再配置された後に上記偏向が安定するまでの過渡振動も示されている。上記ビームの偏向ｘの下には、上記ＡＰＳにおける５つのアパーチャ（これらは概して何千もの多数のアパーチャのうちの一例である）の状態ｐA、・・・ｐEが模式的に示されている。ＡからＥまでの各ビームレットは、後に図１を参照しつつ以下で詳述するように、それぞれの状態ｐA、・・・ｐEがロー（電圧が加えられておらず、スイッチオンである状態）であるときのみ、ターゲット上に照射される。個々の画素露光の間、上記アパーチャの状態は変化しないことがわかる。すなわち、鋸歯サイクルにおける１の周期では、一つのアパーチャにつき１ビットの情報だけしか送ることができていない。
【０００８】
先行技術にかかる方法では、効率的で、要求されたデータレートに変換することのできる好ましいオンチップデータストレージレイアウトとすることが困難であった。現在、シフトレジスタを用いることが、この問題を解決できる最善の方法であると考えられている（米国特許出願公開第２００５／０２４２３０３（Ａ１）号参照）。
【０００９】
【特許文献１】米国特許第６７６８１２５号
【特許文献２】米国特許出願公開第２００５／０２４２３０３（Ａ１）号
【発明の開示】
【００１０】
本発明の目的は、上述した欠点を克服し、容易に実行可能なＰＤ構成を用いて、高いスループットレートをもたらす方法を提供することである。
【００１１】
この目的は、画素露光期間において、上記ターゲットとともに上記ビームイメージの上記位置を移動させるようにし、上記画素露光期間は、上記ターゲットにおいて測定される上記第１の幅より大きい、好ましくは上記第１の幅の少なくとも倍数以上である（すなわち、少なくとも２倍、より好ましくは３倍またはそれ以上）進行距離を、上記ターゲットが上記相対移動しているときの時間を有し、上記ＰＤ手段の位置に対する、上記画素露光期間の間における上記ビームイメージの上記位置の移動をほぼ補うために、上記画素露光期間の後に、上記ターゲットに対して上記ビームイメージの上記位置を変化（上記ターゲット上で再配置）させる、始めに詳述したターゲット照射方法により、達成される。
【００１２】
本発明は、上記ターゲット上において最適な書込みスピードをもたらす書込み方法を提供し、また、実現可能であるととともに、標準的なＣＭＯＳ技術を用いた電子的な構成を用いることをできるようにし、また、上記ＰＤ手段におけるブランキング回路を単純化することが可能とする。
【００１３】
本発明は、上記電子ビームの密度および上記ＡＰＳの他動性によってのみ制限されるスピードで書き込み可能な電子ビーム書き込み方法に用いるＰＤ装置を提供する。また、ＵＭＣ０．２５μｍプロセスベースで、上記ＡＰＳに対する電力消費やデータレートを扱うことができる。現在用いられている設計では、何桁ものオーダーで、これらの２つの側面において不足していた。
【００１４】
上記ビームレットによる上記ターゲット表面全体の露光を確実にするために、上記第１の幅に上記ビームレットの数を乗じたものが上記進行距離と等しく（もしくは、上記進行距離よりも大きく）なるように、異なった画素を露光するビームレットの数を決定できる。相補的なビームレットからなるグループが存在する（すなわち、上記ターゲット状の相対移動の方向において同一線上にある上記ビームレットが、上記ビームレットが、上記ターゲット上においてそれぞれ上記進行距離の整数倍離間しているグループ、「リダンダンシーグループ」、を構成している）場合、このリダンダンシーグループの数は、上記グループの数に上記第１の幅を掛けたものが上記進行距離以上であるように決定されている。
【００１５】
本発明の好ましい形態は、複数の画素露光期間を含む時間において、上記ターゲットの上記相対移動は連続的な直線状の移動である。通常、それは、上記ＰＤ装置や上記光学系が固定されている間に、移動させられているターゲットである。上記ターゲットの移動は、好ましくは、初期の方向においてスイープをスキャンする方向に沿ってスキャンする動作であることが好ましい。
【００１６】
上記画素露光期間以外においては、上記パターン化ビームが上記ターゲットに到達する前に、吸収手段によって吸収されて上記パターン化ビームが消える、というのがさらなる利点である。
【００１７】
上記ターゲットの上記相対移動の好ましい選択において、画素露光期間の開始時から連続する次の上記画素露光期間の開始時までの間における上記距離は、上記第１の幅の整数倍である第２の幅と等しい。この場合、同一線上に存在する２本の上記ビームレット間における上記ターゲットの上記相対移動の方向に沿って測定された距離は、上記第１の幅の整数倍数であり、上記ターゲットの上記相対移動の方向に沿って測定された距離において、上記第１の幅を整数倍した整数のうち少なくともいずれかは、上記第２の幅において上記第１の幅を整数した整数と互いに素である。これに対するある簡単な方法は、上記第１の幅の整数倍数が、１単位だけ異なるようにすることである。
【００１８】
好ましい形態においては、上記パターン決定手段は、複数の静電ビームレット偏向器を備えており、これら各偏向器は、上記パターン決定手段の個々のアパーチャと関連づけられるとともに、それぞれの制御信号によって制御され、これらの制御信号によって起動させられたとき、上記アパーチャを横切る上記ビームレットを通常の経路から十分な量だけそらすように構成されている。この場合、上記パターン決定手段の上記アパーチャは、複数の上記制御信号により、時間に依存して上記ターゲット上に形成されるパターンに応じて制御される。
【００１９】
この好ましい形態においては、上記アパーチャは、分離グループに論理的にグループ化しており、各グループの上記アパーチャについての上記制御信号が、時間的に重ならないように、共通の制御ラインを通って用いられる。好ましくは、それぞれの上記分離グループの上記アパーチャは、上記ターゲットの上記相対運動方向と交差する方向に沿って、上記パターン決定手段に配置されている。それぞれの上記分離グループの上記アパーチャは、上記ターゲットの上記相対移動方向とほぼ直交する（だが、必ずしも必要がない）方向から測定した場合、上記パターン決定手段における上記アパーチャに覆われた領域の幅の２分の１を超えて延びており、上記制御信号は、反対の２つの方向から上記アパーチャの上記領域に入力される。
【００２０】
この好ましい形態においては、上記パターン決定手段が、上記制御信号を処理するためのデータが上記パターン決定手段のデータ記憶手段に入力されて記憶されるデータ記憶手段を構成していてもよい；上記データが、個別に読み出されてそれに応じて上記制御信号が処理されることが可能となる。上記データ記憶手段は、２つのポートを有するデータ記憶手段を備えており、それぞれの上記画素露光期間において、上記データ記憶手段の第１のポートを通して、上記アパーチャを制御するデータが上記制御信号の処理のために読み出され、上記データ記憶手段の第２のポートを通して、連続する上記画素露光期間に関するデータが記憶される。
【００２１】
この好ましい形態のその他の有益な改良は、上記パターン決定手段の上記アパーチャが、相補的アパーチャのグループにグループ化され、それぞれのグループについて、上記グループの上記アパーチャと関連する上記制御信号が、共通信号から発生しており、上記共通信号は、上記制御信号に順次コピーされるものであることである。この場合、上記共通信号は、それぞれのアパーチャ間の上記ターゲットの相対移動方向に沿う空間的なオフセットに対応する時間だけずれて、上記制御信号にコピーされてもよい。グレイレベルを実現するために（米国特許出願公開第２００５／０２４２３０３（Ａ１）号明細書参照）、グループの上記共通信号は、このグループに属する上記アパーチャにより実現されるグレイレベルの情報を含み、このグレイレベルを、一連の非作動制御信号と作動制御信号に変換し、上記グレイレベルは、上記グループにおける制御信号の全体数に対する非作動の信号の数を決定するものである。上記グレイレベルの上記変換は、上記記録手段から上記データを出力した後になされていてもよいし、また、この変換方法は、上記グレイレベルの一連の制御信号への変換は、等間隔シーケンスへの変換、準ランダムシーケンスへの返還、リニアフィードバックシフトレジスタを用いた変換、個々の制御信号について異なるオフセットを用いた変換、又はこれらの組合せによる変換の少なくとも１つを含んでいても良い。
【００２２】
もちろん、本発明はその他の公知の書込み方法に適用可能である。たとえば、上記ブランカーフリップフロップを非同期にマスクする追加の全体ブランキング信号などが挙げられる（国際公開第２００７／１１２４６５号）。
【００２３】
さらに、上記アパーチャは、それぞれ上記ビームに沿って所定距離だけ相互に離間している（少なくとも）２つの平行な列に配列させるため、上記アパーチャの上記列を実現するプレートが、２倍にされ、そして、並行して作動させられてもよい。
【００２４】
本発明にかかる第２の側面は、ここで述べたターゲット照射方法と特に組み合わせて、荷電粒子を用いてターゲットの位置決めをすることに関連するものであり、上記位置決め方法において、上記アパーチャイメージが形成されるイメージ面において、上記パターン決定手段に対して上記ターゲットが経路に沿って相対移動し、上記ビームの少なくとも一部が、第２の照射をする、上記ターゲット上に設けられたマーカに衝突する一方、測定された第２の照射が極値（最大値または最小値）を得るとき上記ターゲットの位置を調整するために、上記第２の照射が適当なハイサンプリングレートを用いた検出システムにより検出されるものである。
【００２５】
この方法に関連して、好ましくは、連続する露光工程の間に、上記基板面が、上記ターゲットを移動させるスピードと同じスピードで上記ターゲットを移動させる。
【００２６】
上記マーカのある適当な実現は、複数の層構造の一部である構成を備えており、この構成は、上述のプロセスのうちの少なくとも一つにおいて上記ターゲット上に形成されている。特に、上記マーカは、特徴的なオージェ電子放射を含む第２の放射をするのに適応している構成要素を備えており、上記検出システムは、上記オージェ電子放射を検出することに適したエネルギー選択検出器を用いていてもよい。その他の実現においては、上記マーカは、後方拡散特性収率を有する構成要素を備えている。
【００２７】
特に有益なことは、上記ターゲットの位置決め方法、上記ターゲット上で行われる一連の粒子露光、露光／照射プロセスが、同一の上記パターン決定手段を用いており、また、上記ターゲットを同じように上記パターン決定手段について相対移動させることである。しかしながら、上記ターゲットの位置決め方法における上記距離は、一連の粒子ビーム露光／照射プロセスの間におけるものよりも大きくてもよい。
【発明を実施するための最良の形態】
【００２８】
以下に、本発明が、図を参照しつつより詳細に記載されている。
【００２９】
以下に述べる本発明に係る最良の実施形態は、米国特許６７６８１２５号において開示されたＰＤシステムおよびラージリダクションプロジェクティングシステムを備えた、ＰＭＬ２タイプの粒子ビーム露光装置を改良したものである。以下に、まず、本発明に関連のある範囲で、上記装置についての技術的背景を述べる。次に、本発明にかかる実施形態について詳細に述べる。なお、本発明は、以下で述べるＰＤシステムの実施形態や特定の設計に限定されない。以下で述べる実施形態や特定の設計は、本発明の実施可能なもののうちの一つを表したものに過ぎない。照射ステージとともに粒子ビームを用いたその他の工程にも、本発明を同様に適用することができる。
【００３０】
＜ＰＭＬ２システム＞
図１に、本発明に係るマスクレス粒子ビームプロセス装置ＰＭＬ２の概略図を示している。以下では、本発明を開示するために必要なものについてのみ、上記装置について詳述している；理解の便宜上、図１に示されたＰＭＬ２の構成部品の大きさは実際のものと異なっている。特に、粒子ビームの横幅は実際のものと異なっており誇張されている。詳細については、読者は米国特許６７６８１２５号を参照できる。
【００３１】
上述したように、上記ＰＭＬ２システムにおいて、粒子源より発生した粒子ビームが用いられる。照射光学系は、上記ビームを広幅のビームへと変化させる。この広幅のビームは、ターゲット表面に投影されるビームパターンを決定するため規則的に配列されたアパーチャアレイを備えるＰＤ手段を照射する。個々のアパーチャによって、微小ビームが形成される。また、ビーム粒子が個々のアパーチャを通過し、さらに、上記ターゲットに向かい進行するといった状態（「スイッチオン」）にさせるため、または、この状態にさせない（「スイッチオフ」）ため、各ビームが上記アパーチャを通過させられるか否かは制御される。上記アパーチャアレイに進行する上記ビームは、上記アパーチャの空間的な配置により現されたパターン情報を伝えるパターン化ビームを形成する。上記パターン化ビームは、粒子光学照射システムにより、上記ターゲット（たとえば半導体基板）上に照射される。上記ターゲットには上記アパーチャのイメージが投影され、この投影された部分において、上記ターゲットが加工される。上記ビームにより形成された上記イメージは、それぞれのチップ面をこえて、ある直線経路に沿って移動する；上記移動方向に垂直な方向における追加のビームスキャンは不要である（上記ターゲットステージの横方向への移動エラーを埋め合わせるために必要である場合を除く）。
【００３２】
装置１００の主要な構成要素は−たとえば図１では下方に進行している、リソグラフィビームｌｂ、ｐｂの進行方向に沿ってこの順で−照射システム１０１、ＰＤシステム１０２、投影システム１０３、および、ターゲットとしての基板１４を含むターゲットステーション１０４を備えている。粒子光学系１０１，１０３は、静電レンズまたは電磁レンズを含む。装置１００における電気光学部品１０１，１０２，１０３は、リソグラフィビームｌｂ，ｐｂが、装置１００の光軸に沿って妨げられることなく伝播することができるように、高真空状態に保持された真空容器（図示略）に収容されている。
【００３３】
照射システム１０１は、たとえば、イオン源１１と、このイオン源の位置を決定するイクストラクター１１ａと、粒子フィルター/ジェネラルブランカー１２と、コンデンサレンズ系１３により実現される照光光学系と、を備えている。用いられるイオンは、たとえば、水素イオンや重イオンである；本開示における文脈において、重イオンとは、Ｏ，Ｎのイオン等のＣよりも重い元素のイオン、または、Ｎｅ，Ａｒ，Ｋｒ，Ｘｅ等の不活性ガスを指す。イオンではなく、上記粒子として、（電子銃から放射された）電子を用いてもよい。もしくは、一般に、その他の荷電粒子を同様に用いることができる。
【００３４】
イオン源１１は、比較的エネルギーの広がりが小さく、たとえばΔＥ＝１ｅＶの、概して数ｋｅＶ（たとえば上記ＰＤ装置１０２では５ｋｅＶ）といった一定の（運動）エネルギーを有するＡｒイオンなどの、主に特定の種類の荷電イオンを放射する；しかしながら、イオン源が、他の種類の荷電粒子を同様に放射することは避けがたい。速度／エネルギーによるフィルター１２は、このような意図しない粒子を取り除くために用いられる；この装置は、上記ビームレットを再配置する間、上記ビームを全体として消滅させるためにも用いられる。電子光学コンデンサレンズシステム１３により、イオン源１１から放射されたイオンは、広い幅をもったもの、すなわちリソグラフィビームｌｂとして機能する、非常にテレセントリックなビームとなる。上記ビームのテレセントリシティは、上記ＰＤ装置の位置における光軸から±２５μｒａｄのデビエーションの範囲内におさまる。その結果、光軸からテレセントリシティの幅は、上記基板の位置における光軸から±５ｍｒａｄのデビエーションの範囲内におさまる。ここでは、ＰＤ装置および基板における２００倍のリダクションシステムおよび等エネルギー粒子を想定している。そして、リソグラフィビームｌｂは、その位置を保つために必要な装置とともにＰＤシステム１０２を構成するＰＤ装置を照射する。上記ＰＤ装置は、リソグラフィビームｌｂの経路中において特定の位置に保持されている。リソグラフィビームｌｂは、複数のアパーチャ２１により構成されているアパーチャパターンを照射する。上述したように、それぞれの上記アパーチャは、上記ビームレットが個々のアパーチャを通り、上記ターゲットに到達するといった状態である「スイッチオン」つまり「オープン」である状態となる；このとき、上記アパーチャは、入射してくる上記ビームレットを通過させている。一方、上記アパーチャは「スイッチオフ」つまり「クローズ」された状態となる。この場合、上記ビームレットが上記ターゲットに到達する前に、上記ビーム経路に上記ビームレットが吸収されるかのように、もしくは、上記ビームレットが取り除かれるように、個々のビームレットのビーム経路が作用される；このように、上記アパーチャは、上記ビームが通過不能な状態、または、ほとんど通過できない状態になる。スイッチオンされた上記アパーチャの上記パターンは、上記基板上において露光するパターンに応じて決定される。この上記パターンの選択は、これらの上記アパーチャが上記ビームｌｂを通過させる事が可能であるＰＤデバイスの部分だけであるように行われる。そして、上記ビームｌｂは、上記アパーチャから現れるパターン化ビームｐｂになる（図１におけるＰＤシステム１０２の下部分）。上記ＰＤ装置の設計や作動方法は、特にこのＰＤ装置のブランキングプレートに関して、以下に詳細に述べられている。図１には、（多数のビームレットのうち）５本のビームレットだけがパターン化ビームｐｂとして示されている。左から二つ目のビームレットは、吸収プレート１７に吸収されるかのように、スイッチオフされている；一方、スイッチオンされたビームレットは、吸収プレート１７の真ん中の開口部を通過し、そして、上記ターゲット上に照射されてい���。
【００３５】
パターン化ビームｐｂのパターンは、電子光照射システム１０３によって、スイッチオンされたマスクアパーチャ２１のイメージが形成される基板１４上に投影される。電子光投影システム１０３は、たとえば、２００分の１の縮小倍率を有する。基板１４は、たとえば、フォトレジスト層により覆われたシリコンウェハである。ウェハ１４は、ターゲットステーション１０４のウェハステージ（図示略）により、保持され、配置されている。第２の照射を検出する検出器１５は、上記ビームに対する、基板１４の正確な位置を検出するために用いられる；これについては、後に詳述される（「マーカ読み込み」）。
【００３６】
電子光照射システム１０３は、クロスオーバーｃ１を有する電子光照射ステージおよびクロスオーバーｃ２を有する電子光投射ステージといった、２つの連続する電子光投射ステージから構成されていることが好ましい。静電イメージングシステムの技術的な説明は先行文献においてよく知られているため、照射装置に用いられる静電レンズ３０を象徴化したものだけが、図１に示されている。第１の上記電子光照射ステージは、ＰＤ装置のアパーチャ面を中間イメージとして映し出す。第２の上記電子光照射ステージは、次々とこの中間イメージを上記基板表面上に映し出す。いずれの上記電子光照射ステージも、クロスオーバーｃ１、ｃ２を通して、縮小してイメージを映し出す；上記中間イメージは反転するが、上記基板上に映し出される最終イメージは正立である（反転しない）。いずれの上記電子光照射ステージにおいても、縮小倍率はともに約１４倍である。その結果、両ステージ全体としての縮小倍率は２００倍となる。この程度の縮小倍率はリソグラフィーの構成に特に適している。これにより、ＰＤ装置において小型化してしまうといった問題を軽減することができる。上記静電レンズは、主に静電電極から構成されている。一方、磁気レンズが用いられることもある。
【００３７】
上記イメージを、光学軸ｃｘに垂直である方向に沿って、少し横に移動させる手段として、偏向手段１６が上記照射ステージの一方または両方に設けられている。米国特許６７６８１２５号において記載されているように、このような偏向手段は、たとえば、複数電極システムと考えられている。さらに、上記基板面上で上記パターンを必要に応じ回転させるため、磁気コイルが用いられることもある。上記偏向はパターン化ビームｂｐそのものの横幅と比べて極めて小さい。本発明において要求される偏向は単一のビームレットの横幅の何倍もあるものの、単一のビームレットの横幅は、ビームレットｂｐ全体の横幅より極めて小さいため、上記偏向の距離はパターン化ビームｐｂの幅より少なくとも一桁以上小さいものに過ぎない。
【００３８】
上記ＰＤシステム１０２に形成される上記パターンを制御することで、任意のビームパターンを発生させ、さらに、このパターンを基板に対して移動させることができる。また、上記基板が上記ビームの下で移動するスキャニングストライプ露光方法が用いられることが好ましい。よって、シンブルフォーカスドビームシステムにおけるように、上記ビームの位置が常に変化し、そのため、上記ビームを（ほぼ止まっている）上記ターゲット上でうまくスキャンするような、ビームスキャニング方法は必要とされない。
【００３９】
図１７には、２つのプレートが配置されたＰＤシステム１０２の一実施形態における縦方向の要部断面図を示している。この配置は先行文献に記載されているが、本発明にも適している。第１のプレート２０１は、一組のアパーチャ２１を備えたアパーチャプレートである；多数のアパーチャのうちの３つだけが示されている。プレート２０１は、アパーチャ２１を通して、ビームレットｂ１、ｂ２、ｂ３に対応する数を決定する。アパーチャ２１は、上述したように、上記ターゲットに映し出される。米国特許６７６８１２５号に記載されているように、アパーチャ２１は、上記ターゲット上のアパーチャのイメージの相対移動方向に並行であって互いに重ならないような列を形成し、整然と配置されている。それぞれの上記列において連続したアパーチャ間のオフセットは、上記アパーチャの幅の倍数である事が好ましい。一方、上記アパーチャが上記ターゲット上を走査中において上記ターゲットを完全にカバーするために、上記アパーチャの列は共に、すみやかに移動する。
【００４０】
上記ＰＤシステム１０２における第２のプレート２０２は、ブランキングプレートと呼ばれている。第２のプレート２０２は一組の開口部を有している。これらの開口部の位置は、アパーチャプレート２０１におけるアパーチャ２１の位置に対応する。しかしながら、これらの開口部の幅は、ブランキングプレートに遮られずにビームレットを通過させるため、アパーチャ２１の幅より大きいものとなっている。ブランキングプレート２０２における上記開口部は、対応する上記ビームレットを、僅かであるが、十分に偏向させるため、電極２２１を備えている。個々のビームレットは、以下に詳述するように、それぞれ偏向させられる。さらに、上記ブランキングプレートは電子制御のための回路や電極の電気供給装置をも備えている。ＰＤ装置のより基本的な詳細は、米国特許６７６８１２５号や関連する先行文献に記載されている。本発明に係るブランキングプレートの回路の好ましい配置は、以下に示されている。
【００４１】
図１８は、先行技術の上記ＰＤ装置におけるアパーチャの配置の平面図である。上記アパーチャは、クロスハッチが付された四角形として表されている。上記アパーチャは、クロスハッチがされた四角形として表されており、上記方向は、上記横方向が露光工程（図１９参照）の間の基板の（相対）移動の方向に一致するように決定される。この方向に沿って、上記アパーチャは複数の横列に沿って、等間隔に配置されている。隣接する横列における上記アパーチャはオフセットされて配置されている。これにより、上記アパーチャの配置が千鳥配置となっている。上記アパーチャのオフセットの大きさは上記アパーチャの幅ｗの整数倍である。示された例において、オフセットは３ｗである。上記アパーチャの配置は３列ごとにそれ自身が繰り返されるようになっている。このように、上記アパーチャのパターンは、３×３ｗずつ離間して、横方向に繰り返されるように配置されている。その結果、それぞれのアパーチャは、上記アパーチャを囲む四角形で表された、９ｗ2、すなわち３ｗ×３ｗの分割されたセルスペースを有している。このＰＤ装置に用いられる公知技術に関する書込み方法は、図１９、図２０を参照しつつ上述した。
【００４２】
図１８に示す配列は、米国特許６７６８１２５号で述べられているように、アパーチャを有さない部分があることで、規則的でない場合がある。たとえば、上記パターン情報の内部処理用回路のためのスペースが必要であるためである。
【００４３】
＜書き込み方法＞
従来の書込み方法（図１９参照）と比較して、上記ＡＰＳにおける、そして、上記ＡＰＳに入力するデータ移動を低減させる事が可能な書込み方法を、我々は提案する。我々は、この方法を「トロット法」と呼ぶ。なぜなら、個々のビームレットの動きが、小走り、すなわち、トロッティングしている馬の対角線状の脚の動きの様であるからである。
【００４４】
図２には、かなり単純化した例を用いて、本発明に係る「トロット法」の基本的な概念について記載されている。ターゲット４０には、たとえば、露光のためレジストで覆われた、シリコンウェハが用いられる。ターゲット４０は、多数のビームレット（図２では、理解の便宜上、ＡないしＥと示された５本のビームレットのみを示している）がターゲット４０に衝突する間、速度ｖで移動する。それぞれのビームレットは、図２の最上図から最下図までの１の画素露光サイクルＴ１の間に、上記レジストに、一つの画素に対する完全なドーズをする。上図において、クロスハッチがされている部分は（プログラムされたパターンに従って）完全に露光された画素を示しており、その一方、一方向のみのハッチがされている部分は露光されている途中であり、必要なドーズがなされている部分を示している。
【００４５】
上記ターゲットは、（図２の最上図の上の位置に固定されていることが想定されている）上記ＰＤ装置に対して移動させられる。しかしながら、上記書込み方法は、上記ターゲットの相対移動が多数の画素をカバーしているにもかかわらず、個々のビームレットが上記ターゲット上に衝突する位置が個々の画素露光サイクルの間、ある画素の位置において固定されていることを必要としている。そのため、上記ビームレットを、上記イメージ光学系の偏向手段（図１における偏向装置１６）を用いて偏向させる。
【００４６】
上記ターゲット上で露光される画素の幅をｗで示している。隣接するビームレット間の距離をＮ’ｗで示している。Ｎ’は、ある線上に平行に入射するビームレットの数Ｎより１大きい。Ｎ’がＮ＋１であるというのは、Ｎ’とＮとを互いに素とするための一例である；Ｎと互いに素であるその他のＮ’を、代わりに用いても良い。このようにＮとＮ’とを決定すると、Ｎ’回の露光サイクルにより、隣接する画素を露光することが可能となる。図２における場合においては、Ｎ＝５，Ｎ’＝Ｎ＋１＝６である場合を示している。図２のｔ＝０：０における最初の（最上の）図に示されているように、時間ｔは露光サイクルの開始時点における初期状態から始まる。そして上図において、時間ｔは、ターゲットの連続的な移動が画素の幅ｗだけなされたときの時間ｔ＝０：１、ターゲットの移動が画素の幅ｗの２倍である２ｗだけなされたときにおける時間ｔ＝０：２（図示略）、として連続的に示されている。ｔ＝０：５（ｔ＝０：Ｎ）であるとき、上記ターゲットは、画素幅の５個分の距離（５ｗ）を進んでいる。このとき、露光工程の最終段階である。その後、図２の最下図で示されたように、上記ビームレットは、ｔ＝１：０（ｔ＝１：０はｔ＝０：Ｎのすぐ後の時間である；すなわち、ｔ＝０：Ｎ＋δ＝１：０、δはビームレットを次に露光する画素にスイッチさせるための短い時間）において、次の画素露光サイクルを開始するために、他の画素の組を向く。
【００４７】
個々の露光サイクルにおいて、上記ＰＤ装置のそれぞれのブランカーをオンまたはオフにスイッチングすることは、プログラムされたパターンにより制御される。たとえば、対応するビームレットに照射されるある画素が、最大値の２５％のドーズをされる場合、そのビームレットに対応する上記ブランカーが、上記露光サイクルのうちの２５％の時間、開口していなければならない。
【００４８】
図２（図１９も同様）において上記ビームレットの傾きは、かなり誇張して記載されていることに注意すべきである；ウェハプロセスのそのものの図をありのまま描いたならば、ビームレットの傾きの角度は非常に小さく、それを視認できないからである。さらに、ビームレットの進行方向に影響を与えることなくビームレットのセットを横に移動させることも、（たとえば、静電電極の連続するセットを用いることにより）可能である；このとき、ビームレットの傾きの角度は全く変化しない。そして、偏向の幅は、ｚ軸に対称に適切に決定されてもよい。
【００４９】
上記ウェハにおける隣接するビームレットの間の距離Ｎ’ｗのある代表的な値は、１８０μｍである。
【００５０】
個々の画素上の上記ビームレットの位置は、たとえば、静電電極などのイメージングシステムを備えた適切なイオン光学装置などにより、制御される。図３（最上図）は、上記ビームレットの空間的な偏向値ｘを時間の関数として示している。上記アパーチャは常に空いているわけではない。上記ビームレットや電極は、ビームレットの向きを変化させた後に一時的に生じる振動を安定させるための、図３においてＴｓで示された一定の安定時間を必要とするからである。安定時間Ｔｓは、露光サイクルＴ１における僅かな時間である。上記画素露光サイクルＴ１のうちの残りの時間、すなわち使える時間Ｔｕ＝Ｔ１−Ｔｓは、画素露光に用いられる。時間Ｔｕは、確実に露光するため、適切なドーズが個々の画素に与えられる露光時間である。図３には、図２の各図における時間についても示されている。図２において（ｔ＝０：０とｔ＝０：１のような）連続する図の間における時間は、ｄｔ＝Ｔｕ／Ｎ（ここではｄｔ＝Ｔｕ／５）である。一方、図２の下から２つ目の図と最下図との間の時間はＴｓである。
【００５１】
図２に示された書込み方法は、上記ブランカーの配置では、余分なものは示されていない。そのため、あるブランカーセルが機能しなくなった場合に、（上記ブランカーの故障態様に依存して）そのブランカーに対応する画素が常に露光され、または、常に露光されない、といったことが生じるおそれがある。
【００５２】
ある画素を露光するブランカーセルの数を２倍、３倍とすることで、リダンダンシーを簡単に増やすことができる；一般には、Ｋ倍である。上記アパーチャの３倍のリダンダントなもの（すなわちＫ＝３）が、図４に代表的に示されている。リダンダントなブランカーの距離はＮｗの（整数）倍であることに注意すべきである。たとえば、（リダンダントではない）Ｎ’個の連続するアパーチャがＫ組ある場合が考えられる。そして、リダンダントなアパーチャのＫ個のブロックは、一列に書き込むことができる。これらＫ個のそれぞれのブロック間のオフセットは、Ｎ’Ｎｗである。これに代わる配置は、それぞれのブロックにおいてＫ個の連続するリダンダントなアパーチャを備えており、Ｎ個のブロックが適切に配置されているものである（たとえば、あるブロックの最後のアパーチャと、次のブロックの最初のアパーチャとの間の距離が、Ｎ’ｗである）；ブロック間のオフセットはＫＮｗである。
【００５３】
本発明にかかる実施形態において、図２、図４を参照して上述した、リダンダントでなく、または、リダンダントなアパーチャを用いた書込み方法が、組み込まれてもよい。図５には、Ｎ＝３，Ｎ’＝４，Ｋ＝２であるときの単純な例が記載されている。上記ビームレットは、Ａ１、Ａ２、Ｂ１、Ｂ２、Ｃ１、Ｃ２・・・として示されている；それぞれリダンダントなビームレットを示している数字１もしくは２と（それぞれ異なるリダンダンシーグループであることを示している）Ａ、Ｂ・・・・とが組み合わされたものである。ビームレットＡ１、Ａ２は、リダンダントであって、Ｎｗ＝３ｗの距離だけ離間している。連続するリダンダントなグループにおける上記ビームレットの間の距離、たとえば、ビームレットＡ１またはＡ２と、ビームレットＢ１またはＢ２との距離は、（ｎＮ＋Ｎ’）ｗである。ここで、ｎＮ＋Ｎ’とＮとは互いに素である。
【００５４】
図３では、時間Ｔｕおよび上記ビームにおける流量は、一つの画素に対する最大ドーズの量をリダンダンシーファクターＫ’で割ったものが、時間Ｔｕに間に一つのアパーチャを通過できるように、決定される。ここでは、リダンダンシーファクターをＫ’としたが、たいていの場合Ｋに等しい。しかしながら、全てのリダンダントな縦列が作動しているとはいえない場合、Ｋ’にはＫより小さいものが用いられる。個々の画素についてのデータのロードがそれぞれ行われ、偏向ｘのリセットがそれぞれの画素に対してなされる、図２０に示された先行文献に係る方法と比較して、本発明によれば、図３に示した偏向ｘの各鋸歯サイクルにおける使える時間Ｔｕは、多数の画素をカバーする。さらに、画素の露光に関するデータをロードすることが、図３における画素偏向信号ｐAないしＰEとして示されているように、上記画素のそれぞれのグレイレベル（以下のデータコーディングを参照）に応じて、サイクルＴｕにおいて何度も行われてもよい。
【００５５】
＜ブランカープレートの構造＞
以下に、ブランキングプレート２０２の電子的な構造が開示されている。本開示にかかる構造によれば、上記書込方法の規則に従い、書き込み方法を実行することが可能となる。図６には、このようなブランキングプレート６０の全体のブロック図が示されている。上記ブランキングプレートは、論理回路やブランキングアパーチャを含む単一のウェハダイから、物理的に形成されていてもよい。ブランキングプレート６０は、２以上のウェハを積み重ねられ、または、２以上のウェハを複合された構成のものから、形成されていてもよい。たとえば、上記論理回路を含んでいるダイが、ブランキング電極を含むダイと接合されていてもよい。上記開口部は、それぞれＣ個のアパーチャを備えている２Ｒ本の横列に沿って、アパーチャフィールド６１に配置される。これにより、上記ブランカーセルが、２Ｒ本の上記横列の延びる方向（図６では横方向）と垂直である方向（図６では縦方向）に、Ｃ本の縦列になっているように見える。それぞれの横列における上記ブランカーエレメンツ（アパーチャ）の数Ｃは、Ｎ×Ｎ’またはＮ×Ｎ’の整数倍と等しいことが好ましい。上記ブランカーセルは、２つのＡＰＳメモリ列６２Ｎ、６２Ｓ（Ｎ、Ｓは、それぞれ「ノース」、「サウス」を意味している）を用いて、縦方向にアドレスされる。これらの２つのＡＰＳメモリ列６２Ｎ、６２Ｓは、たとえば、高ビット密度を可能とするデュアルポートスタティックＲＡＭなどである。
【００５６】
上記メモリには、読み込みおよび書き込みモードにおいて、ブランキングプレート６０の外部接続インターフェイス６３からアクセスすることができる。論理制御器６４は、与えられたコマンドやデータを、上記外部接続インターフェイス６３を通して、インタープリタする。これにより、上記メモリ列６２Ｎ、６２Ｓのアドレス部６５を作動させ、そして、制御信号６６（クロック信号やイネーブル信号など）をアパーチャフィールド６１における上記ブランカーセルに送る。ノースＲＡＭデータは、図６において上側のＲ本のアパーチャ横列にデータや制御信号を送る。一方、サウスＲＡＭは、下のＲ本のアパーチャ横列と接続されている。
【００５７】
以下に示す実施形態において、メモリ列６２Ｎ、６２Ｓは、個々の特性を有するメモリユニットにより実現される多数のメモリブロック６７から構成されている。各メモリブロック６７には、デュアルポートＲＡＭ（ＤＰＲＡＭ）が用いられている。このようなＤＰＲＡＭは、ＡＳＩＣベンダーライブラリーのうち標準的なライブラリーエレメントである。他の実施形態において、ブランキングプレート６０のメモリは、たとえば、２つのメモリバンク（メモリ列６２Ｎ、６２Ｓに対応する）や、１つのメモリやから構成されていてもよいことは明らかである。メモリユニットのメモリサイズにもよるが、多数のメモリブロック６７が個々のメモリユニットにより構成されている場合も考えられる。
【００５８】
図７によると、各メモリブロック６７のＲＡＭは、ＡＳＩＣにおいて高記録密度を可能とする静的記憶装置から構成されている。それぞれのＲＡＭブロックの全体のコンテンツには、ポートＡ，Ｂにより示された２つのポートを通して、アドレス可能である。以下で説明するように、ポートＡ，Ｂにはそれぞれ、アドレスバス、データバス、および、追加の制御信号、から構成されるそれぞれのアクセス手段によりアクセスすることができる。これらの２つのポートにより、２つの異なる位置からの情報が同時にアクセスすることが可能となる。データ幅やアドレス幅は必ずしも同じ幅である必要はないことに留意すべきである。たとえば、メモリを、ポートＡにおいては８ビット、ポートＢにおいては３２ビットとして構成することも可能である。
【００５９】
図８は、ある半分の縦列ＨＣ１を描いたものである。これは、本発明に係る好ましい実施形態における、上記ブランカーの縦列のうち、上半分（ノース）に対応する部分である。ブランカーセルは、小さな方形（アパーチャ）を含む四角形として、ブランカー０、ブランカー１・・・ブランカー（Ｒ−１）として象徴的に示されている。上記縦列の下半分の部分は、縦列ＨＣの上半分の部分に対称（アパーチャフィールド６１の横方向の中間軸に対称）である。さらに、縦列ＨＣと同一のその他の縦列が、左右方向に何列も配列されている。上記ブランカーの情報は、ポートＡを通り、ＤＰＲＡＭ８２に記憶される。その後、制御ライン８４を通る制御信号データとして、ポートＢを通り各ブランカーに伝達される。各ブランカーは、上記ＤＰＲＡＭから入力されたデータを記憶するための１ビットメモリ（フリップフロップ）を備えている。
【００６０】
図８における配置において、制御ラインデータの幅ｂｗは２ビット（ｂｗ＝２）である。ｂｗは他のビットであってもよい。また、ｂｗの整数倍となるように上記ブランカーの数Ｒを決定するのがよい。ｂｗの値を大きくすれば、全ての縦列をリローディングする時間をより小さくできる。ｂｗ個のセルからなるグループを作動させるイネーブルロー信号ｅｒ０、ｅｒ２・・・ｅｒ（Ｒ−２）によって、個々の上記ブランカーセルは、適確な時間に上記ＤＰＲＡＭからのデータを記録することができるようになっている。ある時点においては、１つのイネーブルロー信号だけがアクティブであるので、制御ライン８４における上記データは、適確なブランカーセルグループにロードされる；それから、次のブランカーセルグループにデータがロードされる。たとえば、Ｒ＝１２８、ｂｗ＝８であるとき、縦列は、１２８／８＝１６クロック周期でリロードされる。このとき、７０ＭＨｚの設計であったなら、２３０ｎｓでリロードされる。
【００６１】
上記ブランカーセルのインターリーブなリローディングができるように、十分なメモリがあることが好ましい：ポートＡを通して一方のアドレス領域Ａ０をリロードし、同時に、他方のアドレス領域Ａ１に記憶されたデータを、上記ブランカーセルにロードするために、上記ＤＰＲＡＭのメモリは、２つのアドレス領域Ａ０、Ａ１に分割されている。上記バンクが切り替えられる次の画素露光工程において、ポートＡを通して、ある一方のアドレス領域Ａ１がリロードされる。これは、他方のアドレス領域Ａ０に記憶されたデータが、上記ブランカーセルにロードされる間に行われる。
【００６２】
効率的な書込みアルゴリズムのためには、制御ライン８４をセットする静的データを用いることが有益である。この静的データは、同時に、全てのブランカーセルをブランキングモード（アパーチャがスイッチオフされた状態）にすることができる。これは、マスクアウト信号により作動する「マスク」ブロック８３を用いて行われる。通常作動時にはマスクブロック８３は、ポートＢからのデータを通過させているが、上記マスクアウト信号がセットされた場合、図８に示された上記半分の縦列におけるあらゆるブランカーセルのデータは１にセットされる。
【００６３】
さらに、全体ブランカーイネーブル信号を実現することも可能となる。この信号を用いると、上記アパーチャフィールドにおける全てのアパーチャを、同時に切り替えることができる。この信号は、たとえば、あらゆる（半分の）縦列のマスクアウト信号やイネーブルロー信号を処理するものである。
【００６４】
本実施形態では、全く露光されていない状態（最小ドーズ、すなわち０％）と、完全に露光された状態（画素において最大ドーズ、すなわち１００％、公開特許２００５／０２４２３０３  Ａ１参照）との間の露光ドーズがされた状態、つまり「グレイレベル」の露光をすることができる。ｇが１００％の段階を表すとき、上記グレイレベルは０からｇ−１の離散的ステップとして実現される。実現可能なグレイレベルにおける数ｇについて、以下に述べる実施形態において述べる。
【００６５】
図９は、８のグレイレベルを有する制御装置の作動の（ｇ＝８、３ビット）タイミング図を示している。時間は横方向に沿って進む。時間Ｔｕは、ｇのタイムスロット（期間）に分かれている。このタイムスロットのいずれかにおいて、所望のグレイレベルに応じて画素が露光される。たとえば、８のうち５のグレイレベルとする場合、それぞれの時間Ｔｕにおいて８度のタイムスロットがあり、それらのうちの５回において、スイッチオンすればよい。時間Ｔｕにおいて、ある画素に対するドーズをｇグレイレベルとしたい場合、時間Ｔｕ内に、上記ブランキングセルをｇ回リロードすればよい。上記ブランカーセルグループは、イネーブルローにより順に示されている。タイムスロットは、ｇ０〜ｇ７として示されている。ブランカーセルの完全なロードは、「使える」時間Ｔｕの間においてなされるものである。データは、ｇ度連続で（タイムスロットに相当する）ブランカーセルにロードされる。そしてそのデータは、図９に示された個々のタイムスロットの開始時点で処理される；同様に、次に続く露光サイクルのための次のデータがロードされる。ロードする時間は、図９において示されたブランカーセルグループによって互いに異なっていることに注意しなければならない。時間Ｔｕの終了時には、最終のグレイレベル期間ｇ７が終了した後、それぞれのブランカーセルグループがスイッチオフされる；これは、図８に示されたマスクアウト信号を通して制御されるマスクブロック８３により行われる。次の露光サイクルの第１のグレイレベル期間ｇ０がロードされ、実行されるまで、スイッチオフ状態は保持される。示されたタイミング図によれば、上記ＡＰＳが最適なドーズの準備をしている。
【００６６】
図３において、時間に対する偏向ｘを示した図の下に、時間Ｔｕにおける５つの異なるアパーチャのデータストリームの一例を記載している。これらのデータストリームは、上記グレイレベルのデータからＡＰＳにおいて直接発生している。この方法について以下に詳述する。
【００６７】
＜データエンコーディング＞
実施例では、発生するパターンはグレイレベルを含んでいる。このパターンは、画素が全く露光されない状態つまり０％から、画素が完全に露光される状態つまり１００％までの幅を有する、ｇのグレイレベルの露光をすることができる。ｇのグレイレベルに対して、ｇビットが上記ＳＲＡＭに記憶されるため、これはデータのオーバーヘッドを招く。上記外部接続インターフェイスを通るデータのレートを小さくすれば、グレイレベルＧ（Ｇ＝ｌｄ（ｇ）ｂｉｔ）だけを上記ＡＰＳに送り、上記ＡＰＳ内部でグレイレベル（Ｇ―ｂｉｔ）からｇアパーチャビットに変換することが可能である。これは、ＤＰＲＡＭにデータが記憶される前や、上記ＤＰＲＡＭからのデータを読み込み、そのデータを上記ブランカーセルに送っているときに、行われる。
【００６８】
上記データが最初に変換され、そのデータが上記ＤＰＲＡＭに記憶された場合において、それぞれのグレイレベルはビットのベクトルに変換されていなければならない。連続するベクトル（すなわち、隣接するアパーチャのベクトル）は、行列へと変換される。ある特定の数を選択した後、便宜上、グレイレベルとして同じ数はｇ×ｇ行列を得るために用いられる。この行列は転置（行および列を替える）され、上記ＤＰＲＡＭに書き込まれる。
【００６９】
一方、上記ＤＰＲＡＭにおける記憶の後における変換（「遅延変換」）は、メモリ領域をセーブする。上記制御器は、上記外部接続インターフェイスを通して与えられたデータのデータフォーマットを変換する必要がない。
【００７０】
図１０は、リダンダントな縦列を用いて遅延変換を実施するための論理図の一例を示している。２つの同一の半分の縦列ＨＣ１．０、ＨＣ２．０が、図１０に示されている。（理解の便宜上、図４を参照して説明したリダンダントであるもののうち２つの縦列だけ、図１０には示されている；第２の縦列ＨＣ２．０は、その他のリダンダントな縦列を代表して記載されている。残りの縦列、特に、他のリダンダントでない画素を露光するための縦列は、記載されていない）。全ての縦列に共通して用いられるものであり、それぞれのグレイレベル期間の後にアップデートされる、追加の時間信号８４０が用いられる。第１の縦列ＨＣ１．０に対するＤＰＲＡＭ論理８７１は、受け取ったデータを、リダンダントな半分の縦列のセットに、幅Ｇ・ｂｗのフルデータとして送る。イクストラクター８４１は、グレイレベル情報を変換し、これを、以下でさらに述べる時間信号に基づいて第１の半分の縦列ＨＣ１．０のためのシングルビットデータ（ｂｗ  ビット）のデータに復元する。Ｇ・ｂｗの幅のフルデータは、次の縦列ＨＣ２．０の上記ＤＰＲＡＭに送られる。従って、縦列ＨＣ２．０のＤＰＲＡＭ論理８７２は、次の露光工程においてコピーされたデータを用いることができる；上記アドレス情報だけは、制御論理から供給される。この工程は、縦列ＨＣ２．０と同様に、その他のリダンダントな半分の縦列（図示略）においても、行われる。
【００７１】
縦列ＨＣ１．０、ＨＣ２．０はリダンダントな書込みをするために設けられているから、それらは必然的に同一のグレイレベルデータで作動することに、注意しなければならない；グレイレベルデータを、個々のオン、オフデータに変換することは、個々のイクストラクター８４１、８４２においてなされる。図１０に示された図では、縦列ＨＣ１．０のＤＰＲＡＭが、上記論理制御から入力されたデータをバッファする役割を果たしている。
【００７２】
上記データの変換に際して、異なるアルゴリズムが用いられる。たとえば、擬似確率法によりリダンダントアパーチャのオンの時間を均一に分散させる、擬似乱数パターン発生アルゴリズムである。
【００７３】
時間情報８４０は、所望のグレイレベルと一致し、さらに、このグレイレベルに適応するビットシーケンスを得るための実質的な時間とも一致する露光ビットを発生させるため、イクストラクター８４１、８４２に用いられる。グレイレベル期間に対応するそれぞれのステップにおいて、上記イクストラクターは、個々のｂｗの列のために、イクストラクター関数ｆを用い、または、これをエミュレートするｂｗビットを発生させる。この関数ｆは、個々の列に関連する時間情報８４０（Ｇビット）およびグレイレベル（Ｇビット）を引数とし、ビット信号（ブーリアン関数）を戻り値とする。ｆ＝ｆ（Ｔｉｍｅ，Ｇｒａｙｌｅｖｅｌ）と表せる。この関数の演算の結果は、対応するアパーチャに制御信号として伝えられる。単純な実施例として、時間情報８４０は、それぞれの時間ステップにおいて、インクリメントされるリニアカウンタ（図示略）により発生する。そして、イクストラクション関数ｆは、比較関数ｆ＝ｃｏｍｐａｒｅ（Ｔｉｍｅ＜Ｇｒａｙｌｅｖｅｌ）である。
【００７４】
好ましい実施形態では、時間信号８４０は、Ｇビットの乱数発生器（たとえばＬＦＳＲ（ｌｉｎｅａｒ  ｆｅｅｄ  ｂａｃｋ  ｓｈｉｆｔ  ｒｅｇｉｓｔｅｒ））により出力されたものである。この乱数発生器は、ランダムに、露光制御データストリームのそれぞれのビットｇを計算するために０からｇまでの数字を、ｇのグレイレベル期間の間において、それぞれ一度だけ発生させる。関数ｆとして、比較関数ｆ＝ｃｏｍｐａｒｅ（Ｔｉｍｅ＜Ｇｒａｙｌｅｖｅｌ）を用いてよい。これは、上記アパーチャに送られる上記制御信号に直接関連する。このような乱数発生器を用いることで、やがてアパーチャのビットストリームの相関がなくなる。
【００７５】
その他のパラメータが、個々の画素の間のデータストリームと相関をなくすため、上記比較関数に組み込まれてもよい。たとえば、それぞれの画素が、そのグレイレベルデータのほかに、指定されたグレイレベルのために発生する実際のビットシーケンスを決定するシーケンス鍵として働く個々の数を、得ることができる。上記シーケンス鍵は、上記露光工程サイクル全体において不変のまま保持される。上記シーケンス鍵は、上記グレイレベルを用いた比較が行われる前に、乱数発生器により与えられた値に（ｍｏｄｕｌｏ  ｇとして）足したり引いたりする数であるオフセット値として用いられる；すなわち、ｆ＝ｃｏｍｐａｒｅ（［（Ｔｉｍｅ−Ｓｅｑｕｅｎｃｅｋｅｙ）（ｍｏｄ  ｇ）］＜Ｇｒａｙｌｅｖｅｌ）、として表される。
【００７６】
＜リダンダントなブランキングプレートの構成＞
ここで示すＡＰＳシステムにおいて起こりうる（おそらく最もその可能性の高い）故障の一例は、機械的な、または、電子的な損傷によるブランキングセルの故障である。そのため、それに対応するビームレットをブランクさせることができなくなる（常にオープンとなるエラーである）。一方を他方の上の位置させるように２つのアパーチャプレートを積み重ね、並行して電子的に作動させることで、常に開口しているというエラーの起こる確率は、かなり減少すると思われる。並行して作動するこの２つのブランカープレート装置２０２ａ、２０２ｂを有する、このリダンダントな構成は、図１１に記載されている。図１１に示された２つの外部アパーチャは、故障部分を全く有さない。一方、２つの内部のアパーチャは、第１または第２のブランカープレートそれぞれにおいて、故障部分を有する。だが、ブランカープレートをリダンダントに積み重ねたため、上記２つのアパーチャが適正に作動することが可能となる。
【００７７】
＜アパーチャの配置＞
図１２は、本発明に係るアパーチャの配置の一例を示した図である。この図を、上述した図１８における公知の配置と比較して見ることができる。図１２における平面図における縦方向および横方向は、図１８、図６および図８に示したものと同じである；上記アパーチャはクロスハッチがされた四角形で表されている。図１８に示したように、それぞれのアパーチャは、両辺３ｗ×３ｗのセルスペースに割当てられている。公知技術と対比すると、追加のスペースが、アパーチャのそれぞれのブロックの間に配置されている。これにより、横方向における基本距離（ここでは９ｗ）においてセルスペースの幅（ｗ）に乗算している整数と、Ｎ’ｗ（ここでは１０ｗ）においてセルスペースの幅（ｗ）に乗算している整数とが、互いに素となっている。
【００７８】
図１３は、Ｋ＝２である場合のリダンダンシーなアパーチャを含む他の実施形態を示している。ここでは、それぞれのアパーチャブロックは２つになっている。図１４は、図１３に示した配置の拡大図であり、この配置における基本セルを示している。図１４に示されているように、あるブロックにおけるアパーチャから隣接するブロックにおけるアパーチャまでの距離のうち最も小さいものは、追加のオフセットを含む一方、リダンダンシーであるアパーチャ間の幅は、上記基本距離（ここでは９ｗ）の整数倍となっている；本実施形態では、このオフセットは１ｗであり、Ｎ’ｗは（１＋９）ｗとなる。このように、このセル内において、上記アパーチャはリダンダンシーを提供するためのスペーシングを有しており、上記ＡＰＳは、この基本セルを複数連結することで構成されていてもよい。
【００７９】
＜マーカ読み込み＞
上述した構成は、ターゲット４０上のマーカ４１、４２を読み取るためにも用いられる。このようなマーカは、上記ビームカレントを高い割合で反射し、さらに第２の照射をさせることができる材料により構成されている。これらの反射は、上記ビームの横に位置する検出器４４により検出される。第２の照射としては、たとえば第２の電子ビームやオージェ電子照射が好ましい。特にオージェ電子放射は、線の幅が非常に小さく、ある特定のエネルギーにおいて特徴的な電子照射をするといった利点を有する。そのため、オージェ電子放射を検出器４４で検出することが可能である。
【００８０】
図１５や１６において参照する例においては、テーブルとビーム位置との間におけるラフな位置合わせと、正確な位置合わせをするため、２段階のマーカ読み込みが行われてもよい。第１段階目では（図１５参照）、上記レジスト上の大まかな位置を検出するために、たとえば、バーコード状に配置され、もしくは、素数のマーカが離間するように配置された線などの、ハイオートコリレーションを有するマーカ符号が用いられる。上記ＰＤ装置は、上記レジスト上にマーカパターン４１を照射するために構成されており、プログラムされたパターンが上記ターゲット上のパターンと一致するとき、相関のピークが、上記第２の照射の中で検出される。あらゆるマーカが幅ｗ、すなわちビームレットの幅と同一であるとき、最適に作動する。粗いマーカパターン４１における上記相関ピークは、精度±ｗで、ファインマーカ４２の位置を決定するために用いられる。ファインマーカ４２は、検出データの実時間プロセスを実行させるためにコースマーカ４１と離間している。
【００８１】
上記第２段階において（図１５）、ファインマーカ４２が、マーカ検出の解析能力増加のために用いられる。上記ファインマーカの位置は２ｗの幅であるフィールドにあると認識されているため、上記ターゲットの上記相対移動が、上述した画素露光サイクルの間において同じような動きおよびスピードで進むようにうまく維持されている。上記ＰＤ装置や上記偏向器は、ステップ幅がｄで、このフィールドを通したステップをするように構成されている。上記インターバルの最後の地点に到達するまで、第１のビームレット１は２ｗのインターバル（ｘ＝０）の最初の地点に、第２のビームレット２はｘ＝ｄの地点に、といったように配置されている。このように、上記ビームレットはオーバーラップする。そして、このビームレットにより、図１６において示されたように、最大値まで段階的に増加しその後減少するといった強度分布となる。最高の高反射カレントが測定されるときはいつでも、ビームレットとマーカの間における上記最大値が一致する。この工程は上記レジストの動きに全く関係なく起こる。
【００８２】
位置合わせに用いられる検出器４４は十分に高い時間解析能力を備えていなければならない。この時間解析能力とは、上記ターゲットの相対移動の速度ｖにより割られる、要求される空間解析能力（すなわちｗやｄ）に対応するものである。従って、検出器４４のサンプリングレートが１／Ｔｕより小さいことが好ましい。シグナルインテグレートのための時間を増加させるため、上記ビームが上記ターゲット上に固定されている時間は、上記ターゲットをスキャンするスピードを変化させたり減速させたりすることなく、それが上記マーカの位置している領域をパスしている時に一つの画素を露光する時間（たとえば１０Ｔｕ）より大きいものであるように決定される。すなわち、位置合わせに用いられる進行距離は、次の（もしくは前の）露光工程における特徴的な画素露光期間Ｔｕにおいてターゲットの相対移動がなされる距離の倍である。このアプローチでは、スキャン方向に沿ってマーカ領域のすぐ後に続く領域いくつかの画素が、完全に露光されないといったことが起こるとも思われる。しかしながら、実際にはこのようなことは起こらない。形成されるリソグラフィーパターン（つまり微細構造パターン）の周囲からマーカが十分に離間しているためである。
【００８３】
図１５ａには、上記マーカを変更したものの、すなわち埋没マーカ４１１の、使用方法を示している。マーカ４１１は、上記ターゲットの製造中に形成されており、追加の製造工程において生産されたコーティング材により覆われていてもよい。マーカ４１１の構造は、イオンがコーティング層を通り、実質的にある（上記マーカとなる）埋没層に作用する、深度のあるイオン照射などの適当な方法により、形成されていてもよい。上記マーカの好ましい実施形態の一例は、上記ターゲット表面の真下に位置し、上記ターゲット表面に近接している金属層である。この金属層は複数層構造の内部に形成されていることがより好ましい。図１５ａでは、図１５を参照し上述した第１段階について示している。しかしながら、埋没マーカ４１１は、図１６で示した場合と同様に、ファインマーカ（リゾリューションポジショニング）検出工程にも用いられてもよいことは、明らかであろう。
【００８４】
本発明によれば、１クロックのみを用いた同期設計方法を用いた設計を実現できる。上記アパーチャは同時に切換えがなされないが（これはチップにおける電力消費特性において有利な点である）、個々のアパーチャがオープンしたりクローズしたりする時間は、上記クロックの正確性（これは通常、数ＰＰＭの範囲内にある）にのみ依存するため、非常に正確である。本発明にかかるブランキングプレートのさらなる利点は：
・従来のＰＭＬ２に比べて、フリップフロップの数を大幅に減少させることができる。
・フリップフロップスイッチングの回数を数桁小さくできる。
・電力消費を（同じ作動モードにおいて）かなり減少させることができる。
・所定回数のフリップフロップのスイッチングが、より長時間にわたって行われる。
・所定回数の上記アパーチャのスイッチングが、より長時間にわたって行われる。
・本発明にかかる構成によれば、１クロックだけで、十分に同期をとることができる。
・本発明にかかる書き込み方法によれば、所定のデータストリームで、上記光学系の修正をすることができる。
【図面の簡単な説明】
【００８５】
【図１】図１は、本発明に適した粒子ビーム露光装置の縦方向における概略図を示している；
【図２】図２は、ターゲット上において「トロッティング」するビームレットを用いた本発明にかかる基本的な書込方法を記載している；
【図３】図３は、「トロット法」におけるビーム偏向と時間との関係を示した図を示している；
【図４】図４は、「トロット法」の他の実施例としてリダンダントな書込方法を示している；
【図５】図５は、図３および図４の概念を組み合わせた書込み方法を示している；
【図６】図６は、「トロット法」を実行するためのＰＤ装置におけるブランキングプレートの回路のブロック図である；
【図７】図７、図６の回路におけるＲＡＭメモリのブロック図である；
【図８】図８は、図６の回路におけるブランキングプレートのアパーチャの半分の縦列に関するデータ供給回路のブロック図である；
【図９】図９は、制御器の作動とパターンデータのローディングシーケンスのタイミング図を示している；
【図１０】図１０は、リダンダントな縦列のデータについての図８の配置を変更したものを記載している；
【図１１】図１１は、並行して作動する２のブランカープレート装置のリダンダントな構成を有するＰＤ装置（の縦方向の部分的な詳細）を示している；
【図１２】図１２は「トロット法」に組み込むためのアパーチャの幾何学的な配置についての平面図を示している；
【図１３】図１３は、図１２の配置を２のリダンダンシーを備えるように構成した変更例を示している；
【図１４】図１４は、ある基本セルを強調させて、図１３の拡大したものを示している；
【図１５】図１５、１５ａ、１６は、ターゲットの位置決めのためこのターゲット上におけるマーカの使用方法について記載しており、図１５は、初期配置の第１段階を示している；
【図１５ａ】図１５ａは、埋没マーカを用いる変更例を示している；
【図１６】図１６は、ファインポジショニングの第２段階を示している；
【図１７】図１７は、先行技術に関連するＰＤ装置（の縦方向の部分的な詳細）を示しており、これは、図１における装置においても同様に用いられる；
【図１８】図１８は、先行技術にかかるＰＤ装置のアパーチャの幾何学的配置を示した平面を示している；
【図１９】図１９は、類似する図２と対比して、先行技術にかかる書込み方法を描いている；
【図２０】図２０は、類似する図３と対比して、先行技術にかかる書込み方法を描いている；
【符号の説明】
【００８６】
１００              装置
１０１              照射システム（粒子光学系、電気光学系）
１０２              ＰＤシステム（電気光学系）
１０３              粒子光学系（電気光学系、電子光投影装置）
１０４              ターゲットステーション
１１                イオン源
１１ａ              イクストラクター
１２                粒子フィルター／ジェネラルブランカー
１３                コンデンサレンズ系
１４                基板（ウェハ）
１６                偏向手段
１７                吸収プレート
ｃ１、ｃ２          クロスオーバー
２０１、２０２      プレート
２０２ａ、２０２ｂ  ブランカープレート装置
２１                アパーチャ
２２１              電極
４０                ターゲット
４１                マーカ（マーカパターン）
４１１              埋没マーカ
４２                マーカ（ファインマーカ）
４４                検出器
６０                ブランキングプレート
６１                アパーチャフィールド
６２Ｎ、６２Ｓ      メモリ列
６５                アドレス部
６６                制御信号
６７                メモリブロック
ＨＣ                縦列
８２                ＤＰＲＡＭ
８３                マスクブロック
８４                制御ライン
８４０              時間信号（時間情報）
８４１、８４２      イクストラクター
８７１、８７２      ＤＰＲＡＭ論理
Ａ、Ｂ              ポート
Ａ０、Ａ１          アドレス領域、
Ｔ１                画素露光サイクル
Ｔｓ                安定時間
Ｔｕ、ｄｔ          時間
ｌｂ、ｐｂ          リソグラフィビーム（パターン化ビーム）
ｂ１、ｂ２、ｂ３    ビームレット
【図１】
2008252095.tif 000003
【図２】
2008252095.tif 000004
【図３】
2008252095.tif 000005
【図４】
2008252095.tif 000006
【図５】
2008252095.tif 000007
【図９】
2008252095.tif 000008
【図１０】
2008252095.tif 000009
【図２０】
2008252095.tif 000010
【図６】
2008252095.tif 000011
【図７】
2008252095.tif 000012
【図８】
2008252095.tif 000013
【図１１】
2008252095.tif 000014
【図１２】
2008252095.tif 000015
【図１３】
2008252095.tif 000016
【図１４】
2008252095.tif 000017
【図１５】
2008252095.tif 000018
【図１５ａ】
2008252095.tif 000019
【図１６】
2008252095.tif 000020
【図１７】
2008252095.tif 000021
【図１８】
2008252095.tif 000022
【図１９】
2008252095.tif 000023
【外国語明細書】
2008252095.tif 000024
2008252095.tif 000025
2008252095.tif 000026
2008252095.tif 000027
2008252095.tif 000028
2008252095.tif 000029
2008252095.tif 000030
2008252095.tif 000031
2008252095.tif 000032
2008252095.tif 000033
2008252095.tif 000034
2008252095.tif 000035
2008252095.tif 000036
2008252095.tif 000037
2008252095.tif 000038
2008252095.tif 000039
2008252095.tif 000040
2008252095.tif 000041
2008252095.tif 000042
2008252095.tif 000043
2008252095.tif 000044
2008252095.tif 000045
2008252095.tif 000046
2008252095.tif 000047
2008252095.tif 000048
2008252095.tif 000049
2008252095.tif 000050
2008252095.tif 000051
2008252095.tif 000052
【図１】
2008252095.tif 000053
【図２】
2008252095.tif 000054
【図３】
2008252095.tif 000055
【図４】
2008252095.tif 000056
【図５】
2008252095.tif 000057
【図６】
2008252095.tif 000058
【図７】
2008252095.tif 000059
【図８】
2008252095.tif 000060
【図９】
2008252095.tif 000061
【図１０】
2008252095.tif 000062
【図１１】
2008252095.tif 000063
【図１２】
2008252095.tif 000064
【図１３】
2008252095.tif 000065
【図１４】
2008252095.tif 000066
【図１５】
2008252095.tif 000067
【図１５ａ】
2008252095.tif 000068
【図１６】
2008252095.tif 000069
【図１７】
2008252095.tif 000070
【図１８】
2008252095.tif 000071
【図１９】
2008252095.tif 000072
【図２０】
2008252095.tif 000073